(57)【特許請求の範囲】
【請求項１】
室内外を連通する開口を開閉自在な障子に設けられ、当該障子が案内されるレールを有する下枠上を、前記障子の下にて見付け方向に分かつように仕切る仕切部材を有し、
前記仕切部材は、前記障子が前記開口を閉じるべく操作された際に、前記下枠上に存在する水の、前記障子の操作方向と反対方向の移動を規制し、
前記障子が前記開口を開くべく操作された際に、前記下枠上に存在する水の、前記障子の操作方向と反対方向の移動を許容することを特徴とする排水部材。
【請求項２】
請求項１に記載の排水部材であって、
前記仕切部材は、見込み方向に沿って設けられた軸を中心に回動可能に吊り下げられるとともに、吊り下げられた状態から前記障子の戸尻側への回動が規制されていることを特徴とする排水部材。
【請求項３】
請求項１に記載の排水部材であって、
前記障子は、前記レール上を転動するローラー及び前記ローラーを見付け方向に移動自在に保持するホルダーを有する戸車を有し、
前記仕切部材は、前記障子が前記開口を閉じるべく操作された際の前記ローラーの移動により降下し、前記障子が前記開口を開くべく操作された際の前記ローラーの移動により上昇することを特徴とする排水部材。
【請求項４】
請求項１乃至請求項３のいずれかに記載の排水部材であって、
前記障子の戸尻框に設けられていることを特徴とする排水部材。
【請求項５】
請求項１乃至請求項４のいずれかに記載の排水部材であって、
前記下枠は、前記開口と隣接する壁部の室外側に設けられ、前記開口を開くべく操作された前記障子が引き込まれる引き込み領域を有し、
前記仕切部材は、前記障子が前記開口を閉じるべく操作された際に、前記引き込み領域に存在する水を排出することを特徴とする排水部材。
【請求項６】
請求項１乃至請求項５のいずれかに記載の排水部材であって、
前記開口は浴室に設けられた開口であり、
前記下枠の前記レールより前記浴室側には、当該浴室に向かって高さが低くなる傾斜部が設けられており、
前記仕切部材は、前記レールの前記浴室側を移動可能に設けられていることを特徴とする排水部材。
【請求項７】
請求項１乃至請求項６のいずれかに記載の排水部材を備えた前記障子を有することを特徴とする建具。
【発明の詳細な説明】
【技術分野】
【０００１】
本発明は、障子が移動可能に設けられた下枠上の水を排水する排水部材、及び、建具に関する。
【背景技術】
【０００２】
従来、障子が移動可能に設けられた下枠の走行面に接して塵等を除去するブラシが障子の下框に設けられている建具が知られている（例えば、特許文献１参照）。このような建具の障子に設けられたブラシは、障子とともに移動して、下枠上の塵を除去するばかりでなく、浴室建具のような、下枠上に水が進入するような建具の場合には、下枠上に存在する水をも吸収したり、障子の走行方向に押し出したりする場合がある。
【先行技術文献】
【特許文献】
【０００３】
【特許文献１】実公昭６２−１２０５１号公報
【発明の概要】
【発明が解決しようとする課題】
【０００４】
しかしながら、上記のような建具は、障子の移動に伴ってブラシが下枠上に存在する水を押し出したときに、ブラシが縦枠に近接すると、下枠上の水が集められて浴室外である、例えば脱衣室側に溢れる虞があるという課題がある。
【０００５】
本発明は、かかる課題に鑑みてなされたものであり、その目的とするところは、障子の開閉動作による下枠上の水の溢れが生じにくく、かつ、開口を障子にて閉止する際に開口側に水を排出することが可能な排水部材、及び、建具を提供することにある。
【課題を解決するための手段】
【０００６】
かかる目的を達成するために本発明の排水部材は、室内外を連通する開口を開閉自在な障子に設けられ、当該障子が案内されるレールを有する下枠上を、前記障子の下にて見付け方向に分かつように仕切る仕切部材を有し、前記仕切部材は、前記障子が前記開口を閉じるべく操作された際に、前記下枠上に存在する水の、前記障子の操作方向と反対方向の移動を規制し、前記障子が前記開口を開くべく操作された際に、前記下枠上に存在する水の、前記障子の操作方向と反対方向の移動を許容することを特徴とする排水部材である。
【０００７】
このような排水部材によれば、障子に設けられた仕切部材は、障子が開口を閉じるべく操作された際に、下枠上に存在する水の、障子の操作方向と反対方向の移動を規制するので、開口を閉じるだけで、下枠上に存在する水を障子の移動方向に押し出すことが可能である。
【０００８】
また、障子が開口を開くべく操作された際に、下枠上に存在する水の、障子の操作方向と反対方向の移動を許容するので、開口を開く際に、障子の移動方向において仕切部材より前方側の下枠上に存在している水が、障子とともに移動する仕切部材に対して相対的に移動して、仕切部材より戸先側に移動される。このため、開口を開くことにより、下枠上に存在していた水が下枠外に押し出されることを防止することが可能である。
【０００９】
かかる排水部材であって、前記仕切部材は、見込み方向に沿って設けられた軸を中心に回動可能に吊り下げられるとともに、吊り下げられた状態から前記障子の戸尻側への回動が規制されていることが望ましい。
【００１０】
このような排水部材によれば、仕切部材は見込み方向に沿って設けられた軸を中心に回動可能に設けられているので、障子の移動方向に揺動可能である。また、仕切部材は吊り下げられた状態から障子の戸尻側への回動が規制されているので、吊り下げられた状態から戸先側に回動することが可能である一方で、戸尻側には回動しない。このため、開口を開く際に障子が移動したときに、例えば下枠上に水が存在すると、当該水により仕切部材が障子の進行方向と反対方向、すなわち、戸先側に押圧されて回動する。このため、下枠上に存在していた水は、障子に対する戸先側に相対的に移動することが可能なので、開口を開く際の障子の移動により下枠の外側に水が溢れることを防止することが可能である。
【００１１】
また、開口を閉じる際に障子が移動したときに、例えば下枠上に水が存在すると、当該水は仕切部材を障子の進行方向と反対方向、すなわち、戸尻側に押圧するが、仕切部材は回動が規制されているので回動しない。このため、下枠上に存在していた水は、仕切部材により戸先側に押し出されるので、開口を閉じる際の障子の移動により水を押し出して排出することが可能である。このため、回動する仕切部材の戸尻側への回動する規制する簡単な機構にて、排水部材を実現することが可能である。
【００１２】
かかる排水部材であって、前記障子は、前記レール上を転動するローラー及びローラーを見付け方向に移動自在に保持するホルダーを有する戸車を有し、前記仕切部材は、前記障子が前記開口を閉じるべく操作された際の前記ローラーの移動により降下し、前記障子が前記開口を開くべく操作された際の前記ローラーの移動により上昇することが望ましい。  
このような排水部材によれば、戸車のローラーは、レールと接触しているので、開口を開閉すべく障子を移動させると、ローラーは摩擦抵抗により障子の移動方向と反対の方向に移動する。すなわち、障子を開ける場合と閉じる場合とでローラーの移動方向が反転する。このため、ローラーの移動により、開口を開く際のローラーの移動により仕切部材を上昇させて、水の障子に対する相対移動を許容し、開口を閉じる際のローラーの移動により仕切部材を降下させて、下枠上の水を障子の進行方向に押し出すことが可能である。
【００１３】
かかる排水部材であって、前記障子の戸尻框に設けられていることが望ましい。  
このような排水部材によれば、戸尻框は、障子の、より戸尻側に配置されているので、開口が開かれた際には、排水部材は開かれた開口から、より離れた位置に移動する。このため、開口を閉じる際には、下枠上において、開かれた開口から、より離れた位置に存在している水をも押し出して、より効率良く下枠上の水を排出することが可能である。
【００１４】
かかる排水部材であって、前記下枠は、前記開口と隣接する壁部の室外側に設けられ、前記開口を開くべく操作された前記障子が引き込まれる引き込み領域を有し、前記仕切部材は、前記障子が前記開口を閉じるべく操作された際に、前記引き込み領域に存在する水を排出することが望ましい。  
このような排水部材によれば、開口と隣接する壁部の室外側に設けられて水を排出しにくい、引き込み領域の水を、排水部材が設けられた障子を、開口を閉じる方向に移動するだけで、容易に排出することが可能である。
【００１５】
かかる排水部材であって、前記開口は浴室に設けられた開口であり、前記下枠の前記レールより浴室側には、前記浴室に向かって高さが低くなる傾斜部が設けられており、前記仕切部材は、前記レールの浴室側を移動可能に設けられていることが望ましい。  
このような排水部材によれば、仕切部材がレールの浴室側を移動可能に設けられており、下枠のレールより浴室側には、浴室に向かって高さが低くなる傾斜部が設けられているので、仕切部材がレールの浴室側を移動して下枠上の水を押し出すとともに、押し出した水を浴室に流すことが可能である。
【００１６】
また、上記排水部材を備えた障子を有することを特徴とする建具である。  
このような建具によれば、開口を開く際には、下枠上に存在する水が下枠から溢れることはなく、開口を閉じる際には、下枠上に存在する水を押し出して容易に排水することが可能な建具を実現することが可能である。
【発明の効果】
【００１７】
本発明によれば、障子の開閉動作による下枠上の水の溢れが生じにくく、かつ、開口を障子にて閉止する際に開口側に水を排出することが可能な排水部材、及び、建具を提供することが可能である。
【図面の簡単な説明】
【００１８】
【図１】本実施形態に係る浴室建具の縦断面図である。
【図２】本実施形態に係る浴室建具の横断面図である。
【図３】下枠の出入口側の部位を説明するための縦断面図である。
【図４】下枠の壁部側の部位を説明するための縦断面図である。
【図５】下枠の傾斜部を説明するための斜視図である。
【図６】第１実施形態の戸尻框の下端部の構成を示す斜視図である。
【図７】図７（ａ）は、第１実施形態において仕切部材が閉じた状態を示す図であり、図７（ｂ）は、第１実施形態において仕切部材が開いた状態を示す図である。
【図８】図８（ａ）は、第１実施形態において出入口を閉じる際の仕切部材の状態を示す斜視図であり、図８（ｂ）は、図８（ａ）を浴室側から見た正面図である。
【図９】図９（ａ）は、第１実施形態において出入口を開く際の仕切部材の状態を示す斜視図であり、図９（ｂ）は、図９（ａ）を浴室側から見た正面図である。
【図１０】第２実施形態の戸尻框の下端部の構成を示す斜視図である。
【図１１】図１１（ａ）は、第２実施形態において仕切部材が閉じた状態を示す図であり、図１１（ｂ）は、第２実施形態において仕切部材が開いた状態を示す図である。
【発明を実施するための形態】
【００１９】
以下、本発明の実施形態に係る排水部材、及び、建具について図面を参照して説明する。以下の説明においては、排水部材が設けられている建具として、浴室の出入口を形成する浴室建具を例に挙げて説明する。また、室内外を連通する開口を、浴室の出入口として説明する。
【００２０】
第１実施形態の建具は、例えば、図１、図２に示すように、浴室側から見て右側の領域が閉止可能な開口でなる出入口２をなし、左側の領域が壁部３をなして、壁部３の脱衣室側を見付け方向に沿って移動する障子５が、前記出入口２を開閉可能に構成された引き込み戸タイプの浴室建具１である。
【００２１】
以下の説明においては、建物等に取り付けられた状態の浴室建具１を浴室側から見たときに、上下となる方向を上下方向、左右となる方向を左右方向または見付け方向、浴室内外方向である奥行き方向を見込み方向として示す。また、建具１が備える各部材は、単体の状態であっても建物等に取り付けられた状態にて奥行き方向、左右方向、上下方向となる方向にて方向を特定して説明する。
【００２２】
浴室建具１は、浴室内外の境界に設けられる枠体１０と、枠体１０の浴室外側の部位にて見付け方向に移動可能に設けられ、枠体１０における見付け方向の約半分の領域を開閉自在に設けられた障子５と、枠体１０が有する下枠１４に見付け方向の全域に亘って設けられ、下枠１４と障子５との間を止水する下シール材２２と、壁部３と障子５との間を止水する止水部材としての縦シール材３２と、下枠１４の壁部３側と出入口２側とを連通する連通部材５１と、を有している。
【００２３】
枠体１０は、左右の縦枠１１、１２と、上下の横枠１３、１４と、左右の縦枠１１、１２のほぼ中央に設けられた縦骨２０と、を有している。縦骨２０は、見込み方向において右の縦枠１２の幅のほぼ半分の幅を有し、浴室内側に設けられており、左の縦枠１１は見込み方向において右の縦枠１２の幅のほぼ半分の幅を有し、浴室外側となる脱衣室側に設けられている。
【００２４】
そして、縦骨２０の脱衣室側の部位と左側の縦枠１１の浴室側の部位とは、見込み方向における中央近傍にて、見付け方向に対向するように配置されており、この対向する部位にて端部が支持されて、壁部３の脱衣室側となる脱衣室側の壁面２１ａをなす面材２１が設けられている。
【００２５】
下枠１４は、躯体(不図示)に支持されるとともに、図１に示すように、脱衣室側に設けられた額縁３０と浴室に設けられた防水パン３５との間に架け渡されている。
【００２６】
下枠１４は、レール１７ｄが設けられている下枠本体１６と、図３に示すように、下枠本体１６に固定され、出入口２と隣接する壁部３（図２）の脱衣室側の壁面２１ａを形成する面材２１の下端が挿入される壁下枠１５（図４）とを有している。
【００２７】
下枠本体１６は、図３に示すように、額縁３０（図１）の上部に配置される額縁覆部１９と、上方に突出して障子５を案内するレール１７ｄが設けられている下枠平板部１７と、額縁覆部１９と下枠平板部１７との間には下シール材２２が嵌合される下シール材嵌合部１８とを有している。
【００２８】
額縁覆部１９と下シール材嵌合部１８の上面とはほぼ同高さをなしており、下シール材嵌合部１８には下方に窪む嵌合溝１８ａが設けられている。
【００２９】
下枠平板部１７の脱衣室側の端部は、額縁覆部１９及び下シール材嵌合部１８の上面より僅かに低い位置にて下シール材嵌合部１８と繋がっている。ここで、下枠平板部１７の脱衣室側の端部と、額縁覆部１９及び下シール材嵌合部１８の上面との高さの差は、例えば、住宅性能表示において５等級として認定される段差の高さである５ｍｍ以下に設定されている。
【００３０】
下枠平板部１７は、図５に示すように、脱衣室側から見て縦骨２０より左側（浴室側から見て縦骨２０より右側）の出入口２側の部位が浴室に至るように形成されており、縦骨２０より壁部３側の部位は壁部３の脱衣室側の壁面２１ａをなす面材２１の下端が挿入される壁下枠１５と内側シール材３１を介して突起１７ｇが係合している。すなわち、下枠平板部１７は、見込み方向の長さが、出入口２側が長く、壁部３側が短く形成されている。
【００３１】
下枠平板部１７の出入口２側の部位は、レール１７ｄが脱衣室側にて上方に突出している下枠上面部１７ａと、下枠上面部１７ａの浴室側端部から垂設された鉛直壁部１７ｂと、鉛直壁部１７ｂの下端から水平方向に向かって脱衣室側に延出された延出部１７ｃと、を有している。
【００３２】
下枠平板部１７の壁部３側の部位は、浴室側の端部より脱衣室側に下方に垂設されて壁下枠１５がビス止めされる壁下枠取付部１７ｅが設けられている。すなわち、下枠平板部１７の壁部３側の部位は、浴室側の端部が、壁下枠取付部１７ｅより浴室側に突出している。
【００３３】
下枠上面部１７ａのレール１７ｄは、当該レール１７ｄ上に移動可能に配置された障子５の下框９と下シール材嵌合部１８とが僅かに間隔を隔てるように配置されており、レール１７ｄに案内されて移動する障子５は、右側に移動されて浴室の出入口２を閉止し、左側に移動されて壁部３の脱衣室側に引き込まれるとともに、浴室の出入口２を開放するように構成されている。すなわち、下枠平板部１７の壁部３側の部位の領域が、障子５の引き込み領域Ｓに相当する。
【００３４】
そして、下枠上面部１７ａは、レール１７ｄと下シール材嵌合部１８との間の下枠上面部１７ａがほぼ水平に形成され、レール１７ｄより浴室側には、脱衣室側から浴室側に向かって高さが低くなる傾斜が設けられた傾斜部１７ｆが設けられている。傾斜部１７ｆは、出入口２の見込み方向において、例えば壁部３の厚さのほぼ半分の位置にて、互いに傾斜が異なる２つの部位を有しており、傾斜部１７ｆの脱衣室側の部位である脱衣室側傾斜部１７ｉの傾斜の方が、傾斜部１７ｆの浴室側の部位である浴室側傾斜部１７ｊの傾斜より小さく形成されている。ここで、傾斜部１７ｆは、例えば、水のレール１７ｄ側へ進入をより効果的に抑えるために、浴室側では傾斜を大きくしつつも傾斜が大きくなり過ぎて段差とならない角度とし、脱衣室側は浴室側より緩やかな傾斜をなすように形成されている。
【００３５】
そして、下枠平板部１７の浴室側は、浴室の床をなす防水パン３５（図１）の脱衣室側に設けられた溝部３５ａに鉛直壁部１７ｂと延出部１７ｃとが収容されている。
【００３６】
防水パン３５の溝部３５ａは、出入口２と隣接する壁部３と見付け方向に沿って並べて設けられ、浴室側の内壁面３３ａと下枠平板部１７の鉛直壁部１７ｂの浴室側の面がほぼ面一になるように構成されている。そして、延出部１７ｃは溝部３５ａの底３５ｂに載置されて、鉛直壁部１７ｂが溝部３５ａの浴室側の壁３５ｃと対向するように配置され、下枠上面部１７ａと鉛直壁部１７ｂとの繋がった部位と、浴室の床をなす防水パン３５の上面とはほぼ同じ高さになるように構成されている。
【００３７】
壁下枠１５は、図４に示すように、縦骨２０及び左縦枠１１と繋がった、面材２１の端部の収容部１５ｂを有する壁下枠本体１５ａと、壁下枠本体１５ａの下側に設けられ、下枠平板部１７の壁部３側の部位が挿入される、脱衣室側に開放された凹部１５ｃと、凹部１５ｃ内に内側シール材３１を保持するためのシール材嵌合部１５ｄと、壁下枠本体１５ａの下端から凹部１５ｃに挿入された下枠平板部１７の上方に、レール１７ｄ側に向かって突出された突出片１５ｅと、凹部１５ｃから下方に垂設されて下枠本体１６の壁下枠取付部１７ｅにビス止めされる壁下枠固定部１５ｆと、を有している。
【００３８】
壁下枠１５は、壁下枠固定部１５ｆが、下枠本体１６の壁下枠取付部１７ｅにビス止めされると、下枠平板部１７の突起１７ｇが壁下枠１５の凹部１５ｃに入り込むとともに、凹部１５ｃ内に設けられている内側シール材３１を圧縮するように内側シール材３１に当接される。これにより、下枠上面部１７ａにおける壁部３の脱衣室側に進入した水は、壁部３側から下方に流れることなく壁下枠１５に沿って、下枠上面部１７ａと突出片１５ｅの下面との間の空間に溜まるように構成されている。
【００３９】
また、下枠上面部１７ａ上には、上方に間隔を隔ててレール１７ｄ側に向かって突出された突出片１５ｅは、突出片１５ｅの先端と下枠上面部１７ａとの距離が２〜３ｍｍに設定されている。このため、壁部３とレール１７ｄとの間、すなわち、引き込み領域に進入した水が、下枠上面部１７ａの傾斜により壁部３側に導かれ、突出片１５ｅの先端に達すると、水の表面張力により壁部３側に引き寄せられるように構成されている。
【００４０】
下シール材２２は、下枠本体１６の下シール材嵌合部１８に設けられた嵌合溝１８ａに嵌合される嵌合部２２ａと、嵌合部２２ａから鉛直方向に立接されて脱衣室側への水の進入を防止する水返し部２２ｂと、嵌合部２２ａの上端から浴室側に延出されて障子５の下框９に摺接される障子側止水部２２ｃと、を有している。そして、障子５がレール１７ｄに沿って移動する間には、下枠１４に設けられた下シール材２２の障子側止水部２２ｃが下框９に脱衣室側から摺接するように構成されている。
【００４１】
縦骨２０は、浴室の内壁３３と繋がった面を有する浴室側壁部２０ａと、浴室の出入口２を形成し浴室側壁部２０ａの出入口２側の端から脱衣室側に延びる出入口側壁部２０ｂと、出入口側壁部２０ｂの脱衣室側の端から左縦枠１１の方向に延出された脱衣室側壁部２０ｃと、脱衣室側壁部２０ｃの左縦枠１１側の端部に設けられた面材支持部２０ｄと、脱衣室側壁部２０ｃの出入口側に偏らせて配置され、脱衣室側突出された縦シール材嵌合部２０ｇと、縦シール材嵌合部２０ｇの脱衣室側の端部から左縦枠１１方向に延出された引き寄せ片２０ｈと、を有している。
【００４２】
面材支持部２０ｄは、面材２１の浴室側の面２１ｂが当接される面材当接部２０ｅと、面材当接部２０ｅの出入口２側に設けられ面材２１を脱衣室側から支持する押縁２３が嵌合される押縁嵌合部２０ｆと、を有している。この面材支持部２０ｄは、左縦枠１１に設けられて左右方向が反転した対称形状に形成された面材支持部１１ａとともに、押縁２３が嵌合されて面材２１を支持している。
【００４３】
障子５は、戸先框６の上下の端部と戸尻框７の上下の端部とにそれぞれ上框８及び下框９が介在されるとともに、面材５ａの周端部を囲むように枠組みされて構成されている。
【００４４】
戸尻框７の下端部には、図６に示すように、戸車５０が収容される端部キャップ６０が設けられている。
【００４５】
戸車５０は、レール１７ｄ上を転動するローラー５１と、ローラー５１を転動自在に保持するハウジング５２と、を有している。戸車５０は、端部キャップ６０に下方から挿入されたときに、端部キャップ６０と係合して戸車５０の脱落を防止するための係合片５２ａを有している。
【００４６】
また、戸車５０が取り付けられた障子５がレール１７ｄ上に載置されたときに、ハウジング５２の浴室側に、障子５の下にて下枠１４上を見付け方向に分かつように、すなわち、下枠１４上を引き込み領域Ｓ側と浴室側とに仕切るように配置される仕切部材６６を有する排水部材としての開閉機構６５が設けられている。
【００４７】
開閉機構６５は、図７（ａ）、図７（ｂ）に示すように、ローラー５１が転動する転動軸と同じ方向となる見込み方向に沿って配置される軸部６６ａ、及び、軸部６６ａと一体をなし、軸部６６ａに沿う方向の平面をなし、軸部６６ａの中心から外側に向かう一方向に延出される仕切板部６６ｂを有する仕切部材６６と、ハウジング５２から浴室側に突出して、仕切部材６６の軸部６６ａを所定の範囲にて回動自在に支持する仕切保持部６７と、を有している。
【００４８】
仕切保持部６７は、下方が開放されて軸部６６ａを収容する軸収容部６７ａと、軸収容部６７ａの開放された下端のうち引き込み領域Ｓ側、すなわち左縦枠１１側に位置する下端から下方に延出されて、軸部６６ａが収容された仕切部材６６の左縦枠１１側への回動を規制する規制部６７ｂとを有している。軸収容部６７ａの内径は、軸部６６ａの直径より大きく形成され、規制部６７ｂと、軸収容部６７ａの右縦枠１２側の下端部（以下、右下端部という）６７ｃとの幅は、軸部６６ａの直径より狭く形成されている。
【００４９】
仕切板部６６ｂは、規制部６７ｂと右下端部６７ｃとの間から下方に突出させて軸部６６ａを軸収容部６７ａに収容すると、軸部６６ａが規制部６７ｂと右下端部６７ｃとで回動可能、より具体的には、所定の範囲にて揺動可能に支持される。このとき、仕切部材６６に外力が作用していない状態では、図７（ａ）に示すように、仕切板部６６ｂが規制部６７ｂに当接または近接して、ほぼ鉛直な面を形成するように仕切部材６６は吊り下げられている。また、仕切部材６６が吊り下げられた状態では、仕切板部６６ｂがレール１７ｄと突出片１５ｅとの間にて、レール１７ｄ及び突出片１５ｅと僅かに間隔を隔てるとともに、仕切板部６６ｂの下縁と下枠上面部１７ａとの間も僅かに間隔が隔てられている。
【００５０】
そして、障子５が引き込み領域Ｓに位置して出入口２が開かれた状態から、移動されて出入口２が閉じられる際には、図８に示すように仕切部材６６がほぼ鉛直な面をなして移動する。このとき、仕切部材６６は、図７（ａ）に示すように、障子５の進行方向と反対側に設けられた規制部６７ｂにより進行方向と反対側への揺動が規制されているため、たとえ仕切板部６６ｂに進行方向と反対方向に押圧する力は作用しても、仕切部材６６は、進行方向と反対側へは揺動しない。このため、障子５が閉じられる際に、引き込み領域Ｓの下枠１４上の仕切板部６６ｂより出入口２側に水が存在し、障子５が移動することにより水にて仕切板部６６ｂが進行方向と反対方向に押圧されたとしても、仕切部材６６は揺動しないので、引き込み領域Ｓの下枠１４上の仕切板部６６ｂより出入口２側に存在する水は障子５とともに移動されて出入口２側に押し出され、下枠上面部１７ａの傾斜部１７ｆにより浴室側に排出される。
【００５１】
また、障子５が閉じられた状態から引き込み領域Ｓ側に移動される際にも、仕切板部６６ｂに外力が作用しない場合には、仕切部材６６がほぼ鉛直な面をなして移動する。一方、仕切部材６６の揺動を規制する規制部６７ｂは、仕切部材６６の引き込み領域Ｓ側にのみ設けられているので、仕切板部６６ｂに出入口２を開く際の障子５の進行方向と反対方向に外力が作用すると、図７（ｂ）に示すように、仕切板部６６ｂが、障子５の進行方向と反対側に揺動可能である。このため、障子５が開かれる際に、引き込み領域Ｓの下枠１４上の仕切板部６６ｂより左側に水が存在し、障子５が移動することにより水にて仕切板部６６ｂが進行方向と反対方向に押圧されると、図９に示すように、仕切部材６６は揺動して、引き込み領域Ｓの下枠１４上の仕切板部６６ｂより左側に存在する水を押圧しないので、障子５の移動により水が押し出されることはなく、もって、水が脱衣室側に溢れることはない。
【００５２】
第１実施形態の浴室建具１及び開閉機構６５によれば、障子５に設けられた仕切部材６６は、障子５が出入口２を閉じるべく操作された際に、下枠上面部１７ａ上に存在する水の、障子５の操作方向（ここでは障子５の進行歩行）と反対方向の移動が規制されるので、出入口２を閉じるだけで、下枠上面部１７ａ上に存在する水を障子５の移動方向に押し出して浴室側に排出することが可能である。
【００５３】
また、障子５が出入口２を開くべく操作された際に、下枠上面部１７ａ上に存在する水の、障子５の操作方向（ここでは障子５の進行方向）と反対方向の移動を許容するので、出入口２を開く際に、仕切部材６６により下枠上面部１７ａ上に存在している水が、障子５とともに移動する仕切部材６６に対して相対的に移動して、仕切部材６６より戸先側に移動される。このため、出入口２を開くことにより、下枠上面部１７ａ上に存在していた水が脱衣室側に押し出されることを防止することが可能である。
【００５４】
また、仕切部材６６がレール１７ｄの浴室側を移動可能に設けられており、下枠上面部１７ａの、レール１７ｄより浴室側には、浴室に向かって高さが低くなる傾斜部１７ｆが設けられているので、仕切部材６６がレール１７ｄの浴室側を移動して下枠上面部１７ａ上の水を押し出すとともに、水を傾斜部１７ｆに沿って浴室側に流すことが可能である。
【００５５】
また、仕切部材６６は見込み方向に沿って設けられた軸部６６ａを中心に回動可能に設けられているので、障子５の移動方向に揺動可能である。また、仕切部材６６は吊り下げられた状態から障子５の戸尻側への回動が規制されているので、吊り下げられた状態から戸先側に回動することが可能である一方で、戸尻側には回動しない。このため、出入口２を開く際に障子５が移動したときに、例えば下枠上面部１７ａ上に水が存在すると、当該水により仕切部材６６が障子５の進行方向と反対方向、すなわち、戸先側に押圧されて回動する。このため、下枠上面部１７ａ上に存在していた水は、障子５に対して戸先側に相対的に移動することが可能なので、出入口２を開く際の障子５の移動により脱衣室側に水が溢れることを防止することが可能である。
【００５６】
また、出入口２を閉じる際に障子５が移動したときに、例えば下枠上面部１７ａ上に水が存在すると、当該水は仕切部材６６を障子５の進行方向と反対方向、すなわち、戸尻側に押圧するが、仕切部材６６は回動が規制されているので回動しない。このため、下枠上面部１７ａ上に存在していた水は、仕切部材６６により戸先側に押し出されるので、出入口２を閉じる際の障子５の移動により浴室側に水を排出することが可能である。このため、回動する仕切部材６６の戸尻側への回動する規制する簡単な機構にて、開閉機構６５を実現することが可能である。
【００５７】
また、開閉機構６５は、障子５の、より戸尻側に配置されている戸尻框７に設けられているので、障子５を開閉する際に、出入口２が開かれた際には、開かれた出入口２から、より離れた位置に移動する。このため、出入口２を閉じる際には、下枠上面部１７ａ上において、開かれた出入口２から、より離れた位置に存在している水をも押し出して、より効率良く下枠上面部１７ａ上の水を浴室側に排出することが可能である。
【００５８】
また、仕切部材６６は、障子５が出入口２を閉じるべく操作された際に、出入口２と隣接する壁部３の脱衣室側に設けられた下枠１４の引き込み領域Ｓに存在する水を排出するので、水を排出しにくい、引き込み領域Ｓの水を、開閉機構６５が設けられた障子５を、出入口２を閉じる方向に移動するだけで、容易に排出することが可能である。
【００５９】
上記第１実施形態においては、仕切部材６６と仕切保持部６７とでなる開閉機構６５が戸車５０に設けられている例について説明したが、開閉機構６５は必ずしも戸車５０に設けられていなくともよく、障子５に設けられていれば構わない。また、開閉機構６５は、たとえば、仕切保持部６７を備えたケーシングに仕切部材６６が取り付けられてユニット化されて、障子５に取り付けられても構わない。このとき、仕切保持部６７とケーシングとは、別体であっても構わない。
【００６０】
次に、第２実施形態の浴室建具１について説明する。第２実施形態の浴室建具１は、第１実施形態の浴室建具１と、戸尻框７の下端に設けられている開閉機構６５が相違する。以下の説明においては、上記第１実施形態の浴室建具１と同じ部材には同符号を付して、説明は省略する。
【００６１】
第２実施形態の浴室建具１に設けられている戸車７０も、レール１７ｄ上を転動するローラー７１と、ローラー７１を転動自在に保持するホルダー７２と、を有しているが、図１０に示すように、ローラー７１に設けられている軸７１ａがホルダー７２の浴室側に突出するとともに、ホルダー７２に設けられている軸受け用の開口７２ａが、障子５の移動方向に沿う方向に長く形成された長孔をなしている点で第１実施形態の戸車５０と相違している。このため、この戸車７０が設けられた障子５がレール１７ｄに案内されて移動すると、ローラー７１とレール１７ｄとの摩擦力により、ローラー７１がホルダー７２に対して障子５の移動方向と反対の方向に移動するように構成されている。
【００６２】
また、第２実施形態の浴室建具１には、戸車７０と戸尻框７の端部キャップ６０との間であって、ホルダー７２から軸７１ａが突出されている浴室側に、仕切板部６６ｂを備えて、端部キャップ６０に設けられ図示しないガイドに案内されて昇降可能な仕切部材８０が介在されている。すなわち、第２実施形態の浴室建具１においては、端部キャップ６０と、戸車７０と、仕切部材８０とで開閉機構６５が構成されている。
【００６３】
仕切部材８０は、ホルダー７２の浴室側に配置されるブロック状の本体部８０ａと、本体部８０ａにおける下端部の、浴室側から見て左側の端部に一体に設けられた仕切板部６６ｂとを有している。本体部８０ａの上端側には、端部キャップ６０に下方から挿入される際に弾性変形し、挿入されて端部キャップ６０と係合し、脱落を防止しつつ昇降移動を許容する爪部８０ｅが設けられている。また、本体部８０ａには、浴室側から見て右下から左上に向かって形成されたスリット８０ｂが設けられている。このスリット８０ｂの幅は、ローラー７１に設けられた軸７１ａの直径より僅かに大きく形成されており、端部キャップ６０に戸車７０と仕切部材８０とが取り付けられると、ホルダー７２から突出された軸７１ａがスリット８０ｂ内に配置されるように構成されている。
【００６４】
そして、障子５が引き込み領域Ｓに位置して出入口２が開かれた状態から、移動されて出入口２が閉じられる際には、図１１（ａ）に示すように、レール１７ｄ上を転動するローラー７１は、レール１７ｄとの摩擦力により障子５の進行方向と反対側、すなわち浴室側から見て左側に移動する。このとき、ホルダー７２の浴室側に突出して仕切部材８０のスリット８０ｂ内に位置しているローラー７１の軸７１ａは、スリット８０ｂの下側の面８０ｃを押圧しながら移動するため、仕切部材８０は下方に押し下げられて、仕切板部６６ｂが下方に突出する。このため、障子５が閉じられる際に、引き込み領域Ｓの下枠１４上の仕切板部６６ｂより出入口２側に水が存在し、障子５が移動することにより下方に突出している仕切板部６６ｂが、引き込み領域Ｓの下枠１４上の仕切板部６６ｂより出入口２側に存在する水を出入口２側に押し出すとともに、下枠上面部１７ａの傾斜部１７ｆにより浴室側に排出される。
【００６５】
また、障子５が閉じられた状態から引き込み領域Ｓ側に移動される際には、図１１（ｂ）に示すように、レール１７ｄ上を転動するローラー７１は、レール１７ｄとの摩擦力により障子５の進行方向と反対側、すなわち浴室側から見て右側に移動する。このとき、ホルダー７２の浴室側に突出して仕切部材８０のスリット８０ｂ内に位置しているローラー７１の軸７１ａは、スリット８０ｂの上側の面８０ｄを押圧しながら移動するため、仕切部材８０は上方に押し上げられて、仕切板部６６ｂが上方に引き上げられる。このため、障子５が開かれる際に、引き込み領域Ｓの下枠１４上の仕切板部６６ｂより左縦枠１１側に水が存在したとしても、障子５の移動により水が仕切板部６６ｂにより押し出されることはなく、もって、水が脱衣室側に溢れることはない。
【００６６】
第２実施形態の浴室建具１及び開閉機構６５にあっても、出入口２を閉じるだけで、下枠上面部１７ａ上に存在する水を障子５の移動方向に押し出して浴室側に排出することが可能であり、また、出入口２を開くことにより、下枠上面部１７ａ上に存在していた水が浴室外に押し出されることを防止することが可能である。
【００６７】
また、仕切部材６６がレール１７ｄの浴室側を移動して下枠上面部１７ａ上の水を押し出すことにより浴室に流すことも可能である。
【００６８】
特に、第２実施形態の浴室建具１及び開閉機構６５によれば、戸車５０のローラー７１は、レール１７ｄと接触しているので、出入口２を開閉すべく障子５を移動させると、ローラー７１は摩擦抵抗により障子５の移動方向と反対の方向に移動する。すなわち、障子５を開ける場合と閉じる場合とでローラー７１の移動方向が反転する。このため、ローラー７１の移動により、出入口２を開く際のローラー７１の移動により仕切部材８０を上昇させて、水の障子５に対する相対移動を許容し、出入口２を閉じる際のローラー７１の移動により仕切部材８０を降下させて、下枠上面部１７ａ上の水を障子５の進行方向に押し出すことが可能である。
【００６９】
また、第１実施形態の浴室建具１及び開閉機構６５と同様に、開閉機構６５が戸尻框７に設けられているので、下枠上面部１７ａ上において、開かれた２出入口から、より離れた位置に存在している水をも押し出して、より効率良く下枠上面部１７ａ上の水を浴室側に排出することが可能であり、また、障子５を、出入口２を閉じる方向に移動するだけで、水を排出しにくい引き込み領域Ｓの水を、容易に排出することが可能である。
【００７０】
第２実施形態の浴室建具１及び開閉機構６５においては、仕切部材６６を降下させるために、障子５の移動に伴って移動するローラー７１の軸７１ａが、スリット８０ｂの下側の面８０ｃを押圧しながら移動することとしたが、仕切部材６６を下方に押圧する付勢部材が設けられていたり、仕切部材の自重により下方に押し下げられる構成であっても構わない。
【００７１】
また、上記実施形態の開閉機構６５は、戸車５０、７０に設けられているので、障子５を枠体１０に取り付ける際に、高さ調整等により枠体１０に対する戸車５０、７０の位置を調整したとしても、戸車５０、７０に設けられた開閉機構６５と下枠１４との取り合いは変わらないので、調整が容易である。
【００７２】
上記実施形態においては、出入口を開く際に障子が引き込まれる引き込み領域を有する引き込み戸タイプの建具を例に挙げて説明したが、これに限らず、たとえば、引き違いタイプ、片引きタイプ、折れ戸タイプなど、出入口２の開閉が見付け方向に沿って行われる建具であれば構わない。
【００７３】
上記実施形態においては、下枠平板部１７の出入口２側の部位における浴室側の端部が、浴室の内壁面３３ａより浴室側により突出することなく溝部３５ａに収容される例について説明したが、下枠平板部１７の出入口２側の部位における浴室側の端部が、浴室内側に突出して溝部３５ａを越えて浴室内側に至るカバー突起が設けられていてもよい。この場合には、下枠１４に設けられたカバー突起により溝部３５ａが覆われるので、より見映えの良い浴室建具１を提供することが可能である。
【００７４】
また、上記実施形態においては、出入口２を開閉可能な障子５を１枚備えた浴室建具１の例について説明したが、下枠１４が、見込み方向に並べて設けられた複数のレール１７ｄを有しており、この複数のレール１７ｄの各々に沿って移動可能な障子５が設けられていてもよい。
【００７５】
また、上記実施形態においては、建具として浴室建具１を例に挙げて説明したが、これに限るものではなく、例えば、雨に晒される建物の外周に設けられる建具や、室内外を仕切り結露が生じやすい窓など、室内側を連通する開口に設けられる建具であれば構わない。また、開閉機構６５により押し出される水は、設置される建具の状況に応じて、室内側、または、室外側のいずれに排出されても構わない。
【００７６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７７】
１  浴室建具、２  出入口、３  壁部、５  障子、７  戸尻框、
１４  下枠、１６  下枠本体、１７  下枠平板部、１７ａ  下枠上面部、
１７ｄ  レール、１７ｆ  傾斜部、５０  戸車、５１  ローラー、
６０  端部キャップ、６５  開閉機構、６６  仕切部材、
６６ａ  軸部、６６ｂ  仕切板部、６７  仕切保持部、６７ｂ  規制部、
７０  戸車、７１  ローラー、７１ａ  軸、７２  ホルダー、
８０  仕切部材、
Ｓ  引き込み領域
【図１】
0005506728.tif 000002
【図２】
0005506728.tif 000003
【図３】
0005506728.tif 000004
【図４】
0005506728.tif 000005
【図５】
0005506728.tif 000006
【図６】
0005506728.tif 000007
【図７】
0005506728.tif 000008
【図８】
0005506728.tif 000009
【図９】
0005506728.tif 000010
【図１０】
0005506728.tif 000011
【図１１】
0005506728.tif 000012